(57)【要約】【課題】機器を使用していない状態が自動オフ時間以上経過後に機器が不要な電力を消費するのを防ぎ、自動オフ時間を複数の設定時間から選択可能にすること。【解決手段】制御手段１１は、電源リレー２が閉でかつ加熱手段３の出力がオフの状態が自動オフ時間以上経過すると電源リレー２を開にして、加熱手段３やファン電源９での不要な消費電力を削減し、子供が誤って操作手段８に触れても加熱しないようにして安全性を向上するとともに、自動オフ時間変更手段１２からの入力信号に基づき自動オフ時間を複数の設定時間から選択して、使用者の好みに応じて使い勝手を損なわない時間に設定すること、または、機器が使用される国や地域の事情に合った自動オフ時間に予め選択することができる。【選択図】図１
2006269147.tif 000002
【特許請求の範囲】
【請求項１】
商用電源と、加熱手段と、前記商用電源と前記加熱手段の接続を開閉する電源リレーと、前記電源リレーの開閉に関する情報を入力する電源スイッチと、前記電源スイッチからの入力信号に基づき前記電源リレーの開閉要求を判定して信号出力する電源切／入検知手段と、前記加熱手段の出力に関する情報を含む使用者からの命令を入力する操作手段と、前記電源切／入検知手段からの入力信号に基づき前記電源リレーを開閉制御し、前記電源リレーが閉のときに前記操作手段からの入力信号に基づき前記加熱手段の出力を制御する制御手段を備えて、前記電源切／入検知手段は前記電源リレーの開閉に関わらず動作可能とし、前記制御手段は自動オフ時間変更手段からの入力信号に基づき自動オフ時間を複数の設定時間から選択して、前記電源リレーが閉でかつ前記加熱手段の出力がオフの状態にて前記自動オフ時間だけ経過すると、前記電源切／入検知手段が電源リレー開要求と判定するように制御するとともに前記電源リレーを閉から開に変更するようにした加熱調理器。
【請求項２】
自動オフ時間変更手段は、スイッチの押下有無により異なる信号を出力し、制御手段は、前記自動オフ時間変更手段からの入力信号の変化に基づき自動オフ時間を複数の設定時間から選択し変更するようにした請求項１に記載の加熱調理器。
【請求項３】
操作手段は、複数のスイッチからなり、自動オフ時間変更手段は、前記操作手段の所定の複数スイッチが同時押下されているか否かで異なる信号を出力し、制御手段は、前記自動オフ時間変更手段からの入力信号に基づき自動オフ時間を複数の設定時間から選択し変更するようにした請求項１に記載の加熱調理器。
【請求項４】
商用電源を入力して所定の直流電圧を出力する制御電源と、不揮発性の情報保持媒体からなる記憶手段とを備えて、電源切／入検知手段は、電源リレーを閉すると判定するときは前記制御電源を出力させ、前記電源リレーを開にすると判定したときは前記制御電源を出力遮断させるように制御し、制御手段は、前記制御電源の出力する直流電圧を駆動電源として動作し、動作中に複数の設定時間から選択されている最新の自動オフ時間に関する情報を前記記憶手段にて記憶し、動作停止の状態から動作開始するときに前記記憶手段にて記憶している情報を読み出し前記自動オフ時間として採用するようにした請求項２または３に記載の加熱調理器。
【請求項５】
自動オフ時間変更手段は、製造段階にて複数の設定状態の中から任意のものに固定され、前記固定された設定状態に基づく信号を出力するようにした請求項１に記載の加熱調理器。
【請求項６】
自動オフ時間変更手段は、操作によって複数の設定状態の中から任意のものに切り替えられ、かつ、切り替えられた設定状態を保持して前記保持する設定状態に基づく信号を出力するようにした請求項１に記載の加熱調理器。
【発明の詳細な説明】
【技術分野】
【０００１】
本発明は、一般キッチンや業務用等に用いられる加熱調理器に関するものである。
【背景技術】
【０００２】
従来、この種の加熱調理器には、商用電源と加熱手段の接続を開閉する電源リレーと、操作ストロークの小さい微小電流の電源スイッチと、加熱手段の出力に関する情報を入力する操作手段を備えて、機器を使用する場合は電源スイッチを操作し電源リレーを閉にして商用電源と加熱手段を接続し、その後に操作手段を操作して加熱手段の出力を開始および調整して鍋などを加熱するとともに、機器を使用しない場合は電源スイッチを操作し電源リレーを開にして加熱手段への電源供給を遮断することにより、機器の安全性確保および待機電力の低減を実現するものがある（例えば、特許文献１参照）。
【特許文献１】特開平１１−２６０５４０号公報
【発明の開示】
【発明が解決しようとする課題】
【０００３】
しかしながら、前記従来の構成では、機器を使用後に電源スイッチの操作を忘れてそのまま機器の傍らを離れてしまうと、加熱手段の出力を制御するために必要な構成手段を駆動するための無駄な電力が商用電源から供給され続けてしまうとともに、子供などが誤って操作手段に触れて加熱手段の出力を開始してしまう恐れがあるという課題を有していた。
【０００４】
本発明は、前記従来の課題を解決するもので、機器を使用していない状態が所定時間以上経過すると電源リレーを開にするとともに、前記自動オフ時間を複数の設定時間から選択可能とすることを目的とする。
【課題を解決するための手段】
【０００５】
前記従来の課題を解決するために、本発明の加熱調理器は、制御手段が、自動オフ時間変更手段からの入力信号に基づき自動オフ時間を複数の設定時間から選択して、電源リレーが閉でかつ加熱手段の出力がオフの状態にて自動オフ時間だけ経過すると電源リレーを閉から開に変更するようにしたものである。
【０００６】
これによって、自動オフ時間以上の間、機器を使用していない状態が継続すると電源リレーを閉から開に変更し、かつ自動オフ時間は選択可能とする。
【発明の効果】
【０００７】
本発明の加熱調理器は、機器を使用していない状態が自動オフ時間以上経過すると電源リレーを開にして機器が不要な電力を消費するのを防ぎ、子供が誤って触れても加熱しないようにして安全性を向上するとともに、自動オフ時間を複数の設定から選択可能にして機器を使用する者が好みに応じて使い勝手を損なわない時間に設定する、または、機器が使用される国や地域の事情に合った自動オフ時間に予め選択することができる。
【発明を実施するための最良の形態】
【０００８】
第１の発明は、商用電源と、加熱手段と、前記商用電源と前記加熱手段の接続を開閉する電源リレーと、前記電源リレーの開閉に関する情報を入力する電源スイッチと、前記電源スイッチからの入力信号に基づき前記電源リレーの開閉要求を判定して信号出力する電源切／入検知手段と、前記加熱手段の出力に関する情報を含む使用者からの命令を入力する操作手段と、前記電源切／入検知手段からの入力信号に基づき前記電源リレーを開閉制御し、前記電源リレーが閉のときに前記操作手段からの入力信号に基づき前記加熱手段の出力を制御する制御手段を備えて、前記電源切／入検知手段は前記電源リレーの開閉に関わらず動作可能とし、前記制御手段は自動オフ時間変更手段からの入力信号に基づき自動オフ時間を複数の設定時間から選択して、前記電源リレーが閉でかつ前記加熱手段の出力がオフの状態にて前記自動オフ時間だけ経過すると、前記電源切／入検知手段が電源リレー開要求と判定するように制御するとともに前記電源リレーを閉から開に変更することにより、制御手段は、電源リレーが閉でかつ加熱手段の出力がオフの状態、すなわち機器を使用していない状態が自動オフ時間以上経過すると、電源切／入検知手段が電源リレー開要求と判定するように制御するとともに電源リレーを開にして、加熱手段での消費電力など不要な電力を削減し、子供が誤って操作手段に触れても加熱しないようにして安全性を向上することができる。
【０００９】
また、制御手段は自動オフ時間変更手段からの入力信号に基づき自動オフ時間を複数の設定時間から選択するので、機器を使用する者が好みに応じて自動オフ時間を使い勝手を損なわない時間に設定する、または機器が使用される国や地域の事情に合った時間を予め選択することができる。
【００１０】
第２の発明は、特に、第１の発明の自動オフ時間変更手段を、スイッチの押下有無により異なる信号を出力し、制御手段は前記自動オフ時間変更手段からの入力信号の変化に基づき自動オフ時間を複数の設定時間から選択し変更するとすることにより、例えば、操作手段とは別個に自動オフ時間変更手段をタクトスイッチなどで構成して前記タクトスイッチの押下有無に応じてＨ（押下あり）／Ｌ（押下なし）のデジタル信号を出力するようにし、制御手段は、自動オフ時間変更手段からの入力信号がＬからＨに変化する度に自動オフ時間を複数の設定時間から選択して変更すると、スイッチを１つ追加するといった簡易な構成にて機器を製造した後も複数の設定時間から自動オフ時間を選択し変更することができる。
【００１１】
また、自動オフ時間変更手段のスイッチを、加熱手段の出力に関する情報などを入力する操作手段を構成するスイッチと同種の構成にすれば、操作手段と自動オフ時間変更手段の操作感を同一のものとして機器を使用する者の操作利便性を高めることができる。
【００１２】
第３の発明は、特に、第１の発明において、操作手段は、複数のスイッチからなり、自動オフ時間変更手段を、前記操作手段の所定の複数スイッチが同時押下されているか否かで異なる信号を出力し、制御手段は、前記自動オフ時間変更手段からの入力信号に基づき自動オフ時間を複数の設定時間から選択し変更するとすることにより、新たにスイッチを設けることなく機器を製造した後も複数の設定時間から自動オフ時間を選択し変更することができる。
【００１３】
第４の発明は、特に、第２または第３の発明において、商用電源を入力して所定の直流電圧を出力する制御電源と、不揮発性の情報保持媒体からなる記憶手段とを備えて、電源切／入検知手段を、電源リレーを閉すると判定するときは前記制御電源を出力させ、前記電源リレーを開にすると判定したときは前記制御電源を出力遮断させるように制御し、制御手段を、前記制御電源の出力する直流電圧を駆動電源として動作し、動作中に複数の設定時間から選択されている最新の自動オフ時間に関する情報を前記記憶手段にて記憶し、動作停止の状態から動作開始するときに前記記憶手段にて記憶している情報を読み出し前記自動オフ時間として採用するとすることにより、制御手段が制御電源より電源供給されて動作しているときの自動オフ時間に関する最新の情報を記憶手段にて保持することができる。
【００１４】
また、電源リレーが開、すなわち機器を使用しないときは、電源切／入検知手段は制御手段への電源供給を遮断するように制御電源を制御して不要な電力を更に削減することができるとともに、この状態にて機器を使用する者が電源スイッチを操作すると、電源切／入検知手段は電源スイッチからの入力信号に基づき電源スイッチを閉すると判定して信号出力しかつ制御電源を制御して制御手段への電源供給を再開し、制御手段は制御電源から電源供給を受けて動作を開始するときに記憶手段にて記憶している情報を読み出し自動オフ時間として採用するので、電源供給が遮断される以前の自動オフ時間にて動作を再開することができる。
【００１５】
第５の発明は、特に、第１の発明の自動オフ時間変更手段を、製造段階にて複数の設定状態の中から任意のものに固定され、前記固定された設定状態に基づく信号を出力するとすることにより、例えば、自動オフ時間変更手段を、Ｈ／Ｌのデジタル入力を複数備えた構成や、一定の直流電圧間に２つの抵抗を直列接続してその中間電位であるアナログ入力を複数領域に区分しコード化する構成にして、製造段階にて前記デジタル入力のＨ／Ｌ設定やアナログ入力の２つの抵抗値を所定のものに選択し固定すると、安価でかつ簡易な構成にて自動オフ時間を選択することができる。
【００１６】
また、機器を製造した後は自動オフ時間変更手段の出力信号は固定されるので、電源リレーが開のときに制御手段への電源供給を遮断する場合でも、不揮発性の情報保持媒体を備えずに制御手段への電源供給が再開された後も一定の自動オフ時間を選択することができる。
【００１７】
第６の発明は、特に、第１の発明の自動オフ時間変更手段を、操作によって複数の設定状態の中から任意のものに切り替えられ、かつ、切り替えられた設定状態を保持して前記保持する設定状態に基づく信号を出力するとすることにより、例えば、自動オフ時間変更手段を、レバースイッチやディップスイッチなどによるＨ／Ｌのデジタル入力を複数備えた構成や、ボリューム抵抗やスライド抵抗などを使用して形成するアナログ入力を複数領域に区分しコード化する構成にすると、機器を製造した後も、レバースイッチやディップスイッチを操作したり、ボリューム抵抗やスライド抵抗を調整して自動オフ時間を変更することができる。
【００１８】
また、自動オフ時間変更手段を操作しない限り自動オフ時間変更手段の出力信号は固定されるので、電源リレーが開のときに制御手段への電源供給を遮断する場合でも、不揮発性の情報保持媒体を備えずに制御手段への電源供給が再開された後も同一の自動オフ時間を選択することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における加熱調理器のブロック図である。
【００２１】
図１において、商用電源１は電源リレー２を介して加熱手段３と接続する。加熱手段３は高周波電源３ａおよび加熱コイル３ｂで構成され、高周波電源３ａより加熱コイル３ｂへ数十ｋＨｚの高周波電流が供給されて、加熱コイル３ｂと磁気結合する鍋４を誘導加熱する。制御電源５は商用電源１を入力して５Ｖの直流電圧を出力する。
【００２２】
電源スイッチ６はタクトスイッチで構成されて電源切／入検知手段７と接続し、電源切／入検知手段７は電源リレー２の開閉に関わらず動作（商用電源１からの入力や電池などが駆動源となるが、図１では記載を省略している）し、電源スイッチ６の押下を検知する度に電源リレー２の開閉要求を電源リレー開要求と電源リレー閉要求で交互に切り替えて信号出力する。
【００２３】
操作手段８は、それぞれがタクトスイッチである加熱切／入キー８ａ、アップキー８ｂ、ダウンキー８ｃなどで構成されて制御手段１１と接続し、各タクトスイッチが押下でＨ信号／非押下でＬ信号を出力して、加熱切／入キー８ａは加熱手段３の出力開始／停止を、アップキー８ｂは加熱手段３の出力アップを、ダウンキー８ｃは加熱手段３の出力ダウンを指示する。
【００２４】
高周波電源３ａや加熱コイル３ｂを冷却するためにファン電源９およびファンモータ１０を備えて、ファン電源９は電源リレー２を介して商用電源１と接続し、制御手段１１からの入力信号に基づきファンモータ１０を駆動制御する。
【００２５】
自動オフ時間変更手段１２はタクトスイッチ１２ａなどで構成されて制御手段１１と接続し、タクトスイッチ１２ａが押下でＨ信号／非押下でＬ信号を出力する。
【００２６】
制御手段１１は、制御電源５の出力する５Ｖの直流電圧を駆動電源として動作する。そして、制御手段１１は、電源切／入検知手段７から入力する電源リレー２の開閉要求に関する信号に基づき電源リレー２を開閉制御し、火力１〜火力８まで８段階の火力設定を備えて、電源リレー２が閉のときは操作手段８の加熱切／入キー８ａ、アップキー８ｂ、ダウンキー８ｃからの入力信号に基づき加熱手段３の出力開始／停止や火力アップ／ダウンを行う。また、制御手段１１は、加熱手段３が出力するように制御しているときは、ファン電源９を制御してファンモータ１０を駆動する。
【００２７】
さらに、制御手段１１は、電源リレー２が閉でかつ加熱手段３の出力がオフの状態が自動オフ時間だけ経過すると電源リレー２を閉から開に変更する。そして、この自動オフ時間について、制御手段１１は、１分、２分、３分、４分といった４通りの設定時間を備えて、制御電源５より電源供給されて動作開始するときに自動オフ時間＝１分に初期設定し、自動オフ時間変更手段１２からの入力信号がＬからＨに変化する度に自動オフ時間を１分→２分→３分→４分→１分‥の順で変更する。
【００２８】
以上のように構成された加熱調理器について、以下その動作、作用を説明する。まず、初めて機器と商用電源１と接続したときは、電源切／入検知手段７は電源リレー開要求を出力し、制御手段１１は自動オフ時間＝１分に設定している。このときは、制御手段１１は電源切／入検知手段７から電源リレー開要求に関する信号を入力して電源リレー２を開にし、加熱手段３を出力オフし、ファン電源９を制御してファンモータ１０を停止し、操作手段８の加熱切／入キー８ａ、アップキー８ｂ、ダウンキー８ｃを受け付けない。
【００２９】
この状態で、電源スイッチ６を押下すると、電源切／入検知手段７は電源リレー２の開閉要求を電源リレー開要求から電源リレー閉要求に切り替えて信号出力し、制御手段１１は電源切／入検知手段７から電源リレー閉要求に関する信号を入力して電源リレー２を閉にする。その後、加熱切／入キー８ａを押下すると、制御手段１１は加熱切／入キー８ａからの入力信号がＬからＨに変化するのを検知して、火力６にて加熱手段３の出力を開始するとともにファン電源９を制御してファンモータ１０を駆動する。そして、アップキー８ｂを押下すると、制御手段１１はアップキー８ｂからの入力信号がＬからＨに変化するのを検知して火力１〜８の範囲で火力を１段階アップし、ダウンキー８ｃを押下すると、制御手段１１はダウンキー８ｃからの入力信号がＬからＨに変化するのを検知して火力１〜８の範囲で火力を１段階ダウンする。さらにその後、加熱切／入キー８ａを押下すると、制御手段１１は加熱切／入キー８ａからの入力信号がＬからＨに変化するのを検知して加熱手段３を出力オフし、ファン電源９を制御してファンモータ１０を停止する。
【００３０】
この状態で、電源スイッチ６を押下すると、電源切／入検知手段７は電源リレー２の開閉要求を電源リレー閉要求から電源リレー開要求に切り替えて信号出力し、制御手段１１は電源切／入検知手段７から電源リレー開要求に関する信号を入力して電源リレー２を開にし、加熱手段３を出力オフし、ファン電源９を制御してファンモータ１０を停止し、操作手段８の加熱切／入キー８ａ、アップキー８ｂ、ダウンキー８ｃを受け付けない。
【００３１】
また、電源スイッチ６を押下しなくても、加熱手段３の出力をオフしてから自動オフ時間の１分だけ経過すると、制御手段１１は、電源切／入検知手段７が電源リレー開要求に関する信号を出力するように制御するとともに、電源リレー２を閉から開に変更する。この動作によって電源リレー２が開となってしまっても、再度電源スイッチ６を押下すれば、電源切／入検知手段７は電源リレー２の開閉要求を電源リレー開要求から電源リレー閉要求に切り替えて信号出力し、制御手段１１は電源切／入検知手段７から電源リレー閉要求に関する信号を入力して電源リレー２を閉にできる。
【００３２】
自動オフ時間を変更する場合は、電源リレー２が閉のときに自動オフ時間変更手段１２のタクトスイッチを押下すれば、制御手段１１は、自動オフ時間変更手段１２からの入力信号がＬからＨに変化するのを検知して自動オフ時間を１分→２分→３分→４分→１分‥の順で変更する。そして、自動オフ時間＝４分と設定した場合は、電源リレー２が閉でかつ加熱手段３の出力オフの状態が４分経過するまでは、自動的に電源リレー２が閉から開に変更されないようになる。
【００３３】
以上の構成により、電源リレー２が閉でかつ加熱手段３の出力がオフの状態、すなわち機器を使用していない状態が自動オフ時間以上経過すると電源リレー２を開にして、加熱手段３やファン電源９での消費電力など不要な電力を削減し、また子供が誤って操作手段８に触れても加熱手段３が出力できないようにして安全性を向上することができる。
【００３４】
また、機器を使用する者は、図示していない表示手段で確認しながら自動オフ時間変更手段１２を操作することにより、１分、２分、３分、４分の中から好みに応じて自動オフ時間を使い勝手を損なわない時間に設定することができる。
【００３５】
さらに、自動オフ時間変更手段１２のタクトスイッチ１２ａ１つで、１分〜４分の４通りといった複数の設定時間から選択可能にすることができる。
【００３６】
さらに、操作手段８と自動オフ時間変更手段１２に、ともにタクトスイッチを使用することにより、操作手段８と自動オフ時間変更手段１２の操作感を同一のものとして機器を使用する者の操作利便性を高めることができる。
【００３７】
なお、実施の形態１では、操作手段８と自動オフ時間変更手段１２にタクトスイッチを使用しているが、静電容量型タッチキーなど押下有無により操作指示を行うスイッチであれば同様の効果を得ることができる。
【００３８】
また、実施の形態１では、操作手段８と自動オフ時間変更手段１２はタクトスイッチ（スイッチ）の押下有無によりＨ／Ｌのデジタル信号を出力し、制御手段１１は入力する信号がＬからＨに変化することでスイッチの押下を検知する構成としているが、操作手段８や自動オフ時間変更手段１２がスイッチの押下有無により異なるアナログ信号を出力し、制御手段１１は入力するアナログ信号のレベルが変化することでスイッチの押下を検知する構成とすることもできる。
【００３９】
（実施の形態２）
図２は、本発明の実施の形態２における加熱調理器のブロック図である。
【００４０】
図２において、実施の形態１と異なる点は、自動オフ時間変更手段１２の構成を、タクトスイッチを備えずに、操作手段８のアップキー８ｂとダウンキー８ｃの同時押下を検知してＨ信号／それ以外を検知してＬ信号を出力するようにして新たに自動オフ時間変更手段１３としたことである。
【００４１】
以上のように構成された加熱調理器について、以下その動作、作用を説明する。自動オフ時間を変更する場合は、電源リレー２が閉のときに操作手段８のアップキー８ｂおよびダウンキー８ｃを同時に押下すれば、自動オフ時間変更手段１３はアップキー８ｂおよびダウンキー８ｃの同時押下を検知して出力信号をＬからＨに変更し、制御手段１１は自動オフ時間変更手段１３らの入力信号がＬからＨに変化するのを検知して自動オフ時間を１分→２分→３分→４分→１分‥の順で変更する。
【００４２】
以上の構成により、新たにスイッチを設けることなく自動オフ時間を複数の設定時間から選択し変更することができる。
【００４３】
（実施の形態３）
図３は、本発明の実施の形態３における加熱調理器のブロック図である。
【００４４】
図３において、実施の形態１と異なる点は、不揮発性メモリからなる記憶手段１４を備えて、電源切／入検知手段７は、電源リレー２を閉すると判定するときは制御電源５を出力させ、電源リレー２を開にすると判定したときは制御電源５の出力を遮断させるように制御し、制御手段１１は、自動オフ時間変更手段１２からの入力信号に基づき自動オフ時間を４通りの設定時間から選択し変更するるときに前記自動オフ時間を示す情報を記憶手段１４にて記憶させ、動作停止の状態から動作開始するときに記憶手段１４にて記憶している情報を読み出し前記自動オフ時間として採用するようにしたことである。
【００４５】
以上のように構成された加熱調理器について、以下その動作、作用を説明する。電源切／入検知手段７が、電源リレー２を閉にすると判定して制御電源５にて５Ｖの直流電圧を出力するように制御するとともに電源リレー閉要求に関する信号を出力しているときは、制御手段１１は、制御電源５の出力する５Ｖの直流電圧を駆動電源として動作し、電源切／入検知手段７から電源リレー閉要求に関する信号を入力して電源リレー２を閉にする。このとき、自動オフ時間変更手段１２のタクトスイッチ１２ａを操作すると、制御手段１１は自動オフ時間変更手段１２からの入力信号がＬからＨに変化するのを検知して自動オフ時間を１分→２分→３分→４分→１分‥の順で変更するとともに、変更後の自動オフ時間、例えば１分→２分に変更する場合は２分を示す情報を記憶手段１４にて記憶させる。
【００４６】
この状態で、電源スイッチ６を押下すると、電源切／入検知手段７は、電源リレー２の開閉要求を電源リレー閉要求から電源リレー開要求に切り替えて信号出力するとともに、制御電源５にて５Ｖの直流電源の出力を遮断するように制御し、制御手段１１は、電源リレー２を開にするともに駆動電源を遮断されて動作を停止する。無論、操作手段８や自動オフ時間変更手段１２からの入力信号は受け付けない。
【００４７】
また、電源スイッチ６を押下しなくても、加熱手段３の出力をオフしてから自動オフ時間である２分経過すると、制御手段１１は、電源切／入検知手段７が電源リレー開要求に関する信号を出力するように制御し、電源切／入検知手段７は、電源リレー２の開閉要求を電源リレー閉要求から電源リレー開要求に切り替えて信号出力するとともに、制御電源５にて５Ｖの直流電源の出力を遮断するように制御し、制御手段１１は、電源リレー２を開にするともに駆動電源を遮断されて動作を停止する。
【００４８】
さらにその後、再度電源スイッチ６を押下すれば、電源切／入検知手段７は、電源リレー２の開閉要求を電源リレー開要求から電源リレー閉要求に切り替えて信号出力するとともに電源リレー２を閉にすると判定して制御電源５にて５Ｖの直流電圧を出力するように制御し、制御手段１１は、制御電源５の出力する５Ｖの直流電圧を駆動電源として動作を開始し、記憶手段１４にて記憶している情報を読み出し自動オフ時間＝２分に設定する。
【００４９】
以上の構成により、電源リレー２が閉のときの自動オフ時間に関する最新の情報を記憶手段１４にて保持し、電源スイッチ６を操作または加熱手段３の出力オフが自動オフ時間以上経過して電源リレー２を開にしたときは制御電源５から制御手段１１への電源供給を遮断して更に不要な電力を削減しつつ、この状態にて電源スイッチ６を再度操作し、電源リレー２を開から閉に変更すると、電源供給が遮断される以前の自動オフ時間にて動作を再開することができる。
【００５０】
なお、実施の形態３では、制御手段１１は、自動オフ時間を変更する度に変更後の自動オフ時間を示す情報を記憶手段１４に記憶させているが、制御電源５からの電源供給が遮断されるときに最新の自動オフ時間を示す情報を記憶手段１４に記憶させるようにすれば、同様の効果を得るとともに記憶手段１４への記憶動作回数を削減して記憶手段１４の寿命を延ばすことができる。
【００５１】
（実施の形態４）
図４は、本発明の実施の形態４における加熱調理器のブロック図である。
【００５２】
図４において、実施の形態３と異なる点は、記憶手段１４を削除し、自動オフ時間変更手段１２の構成を、予めＨ信号またはＬ信号に固定された２系統のデジタル信号（図４ではＬＬの例を記載）を出力するようにして新たに自動オフ時間変更手段１５とし、制御手段１１は、自動オフ時間変更手段１５からの２系統のデジタル入力信号の組み合わせに基づき、入力信号＝ＬＬのときは自動オフ時間＝１分、入力信号＝ＬＨのときは自動オフ時間＝２分、入力信号＝ＨＬのときは自動オフ時間＝３分、入力信号＝ＨＨのときは自動オフ時間＝４分と選択するようにしたことである。
【００５３】
以上の構成により、新たな部品を全く追加するのことない安価でかつ簡易な構成にて自動オフ時間を４通りの設定時間から選択し、例えば、日本で販売される機器は自動オフ時間＝３分を選択、香港で販売される機器はＩＥＣ規格の関係で自動オフ時間＝１分を選択といった、機器が使用される国や地域の事情に合った時間を予め選択することができる。
【００５４】
また、機器が製造された後は自動オフ時間変更手段１５の出力信号である２系統のデジタル信号の組み合わせは固定されるので、電源リレー２が開のときに制御手段１１への電源供給を遮断して更に不要な電力を削減する構成でも、不揮発性の情報保持媒体を備えずに制御手段１１への電源供給が再開された後も一定の自動オフ時間とすることができる。
【００５５】
なお、実施の形態４の他に、自動オフ時間変更手段１５の構成を、制御電源５の出力する５Ｖの直流電圧間に２つの抵抗を直列接続して中間電位であるアナログ電圧を出力するようにし、制御手段１１は自動オフ時間変更手段１５より入力するアナログ電圧を４つの領域に区分して該当する区分に対応する設定時間を選択するようにして、機器を製造するときに前記２つの抵抗値を調整するようにしても、自動オフ時間を４通りの設定時間から選択することができる。
【００５６】
（実施の形態５）
図５は、本発明の実施の形態５における加熱調理器のブロック図である。
【００５７】
図５において、実施の形態３と異なる点は、記憶手段１４を削除し、自動オフ時間変更手段１２の構成を、２つのレバースイッチにてＨ／Ｌ切り替え可能な２系統のデジタル信号を出力するようにして新たに自動オフ時間変更手段１６とし、制御手段１１は、自動オフ時間変更手段１６からの２系統のデジタル入力信号の組み合わせに基づき、入力信号＝ＬＬのときは自動オフ時間＝１分、入力信号＝ＬＨのときは自動オフ時間＝２分、入力信号＝ＨＬのときは自動オフ時間＝３分、入力信号＝ＨＨのときは自動オフ時間＝４分と選択するようにしたことである。
【００５８】
以上の構成により、機器を製造した後も、自動オフ時間変更手段１６のレバースイッチを操作して自動オフ時間を４通りの設定時間から選択し変更することができる。
【００５９】
また、自動オフ時間変更手段１６のレバースイッチを操作しない限り自動オフ時間変更手段１６の出力信号は固定されるので、電源リレー２が開のときに制御手段１１への電源供給を遮断して更に不要な電力を削減する場合でも、不揮発性の情報保持媒体を備えずに制御手段１１への電源供給が再開された後も同一の自動オフ時間とすることができる。
【００６０】
なお、実施の形態５の自動オフ時間変更手段１６には、レバースイッチの代わりにディップスイッチなどを使用することができ、また、ボリューム抵抗やスライド抵抗などを使用してアナログ信号を出力するようにして、制御手段１１は自動オフ時間変更手段１６より入力するアナログ信号を４つの領域に区分して該当する区分に対応する設定時間を選択するようにしても、自動オフ時間を４通りの設定時間から選択することができる。
【００６１】
また、実施の形態１〜５において、自動オフ時間の選択数は２通り以上であれば任意の数に増減しても同様の効果を得ることができる。
【００６２】
さらに、実施の形態１〜５において、電源切／入検知手段７、制御手段１１、記憶手段１４の一部または全部の構成手段をマイクロコンピュータにて実現することができる。
【産業上の利用可能性】
【００６３】
以上のように、本発明にかかる加熱調理器は、機器を使用していない状態が自動オフ時間以上経過すると電源リレーを開にして機器が不要な電力を消費するのを防ぎ、子供が誤って触れても加熱しないようにして安全性を向上するとともに、前記自動オフ時間を複数の設定から選択して機器を使用する者が好みに応じて使い勝手を損なわない時間に設定する、または機器が使用される国や地域の事情に合った時間を予め選択するので、一般家庭用キッチンおよび業務用の誘導加熱調理器や、ラジェントヒータやニクロムヒータを利用した加熱調理器等の用途にも適用できる。
【図面の簡単な説明】
【００６４】
【図１】本発明の実施の形態１における加熱調理器のブロック図
【図２】本発明の実施の形態２における加熱調理器のブロック図
【図３】本発明の実施の形態３における加熱調理器のブロック図
【図４】本発明の実施の形態４における加熱調理器のブロック図
【図５】本発明の実施の形態５における加熱調理器のブロック図
【符号の説明】
【００６５】
１  商用電源
２  電源リレー
３  加熱手段
５  制御電源
６  電源スイッチ
７  電源切／入検知手段
８  操作手段
８ａ  加熱切／入キー（スイッチ）
８ｂ  アップキー（スイッチ）
８ｃ  ダウンキー（スイッチ）
１１  制御手段
１２、１３、１５、１６  自動オフ時間変更手段
１２ａ  タクトスイッチ（スイッチ）
１４  記憶手段
【図１】
2006269147.tif 000003
【図２】
2006269147.tif 000004
【図３】
2006269147.tif 000005
【図４】
2006269147.tif 000006
【図５】
2006269147.tif 000007